(57)【特許請求の範囲】
【請求項１】
複数の表示領域にそれぞれ広告コンテンツを表示するコンテンツ表示装置に接続されたコンピュータにより、前記コンテンツ表示装置におけるコンテンツ表示を制御するコンテンツ表示制御方法であって、
前記コンピュータは、
所定の時間帯ごとに前記コンテンツ表示装置に表示する複数の広告コンテンツの表示領域の大きさの比率を定めたコンテンツ表示スケジュールを記憶したコンテンツ表示スケジュール記憶手段と、
前記表示される複数の広告コンテンツに対し予め定められたそれぞれの広告コンテンツの注視度の比率の目標である目標注視度比率を記憶する目標注視度比率記憶手段と、
を備え、
前記コンピュータは、
前記コンテンツ表示スケジュール記憶手段に記憶されたコンテンツ表示スケジュールに従って、前記広告コンテンツを前記コンテンツ表示装置に表示する表示制御処理と、
前記コンテンツ表示装置に付属するカメラにより撮像された前記コンテンツ表示装置の前面側からの風景画像を取得し、その取得した風景画像の中から、前記コンテンツ表示装置に表示されたそれぞれの広告コンテンツを注視する注視者を、それぞれの広告コンテンツごとに検知する注視者検知処理と、
所定の時間帯ごとに前記注視者検知処理によって検知された前記それぞれの広告コンテンツの注視者数に基づき、前記それぞれの広告コンテンツの実績注視度を算出する注視度算出処理と、
前記注視度算出処理によって算出された前記時間帯ごとの前記複数の広告コンテンツのそれぞれの実績注視度の比率に応じて、前記コンテンツ表示スケジュールにおける前記時間帯ごとの前記それぞれの広告コンテンツの表示領域の大きさの比率を変更した適正化表示スケジュールを作成する表示スケジュール適正化処理と、
を実行し、
前記コンピュータは、前記表示スケジュール適正化処理では、
前記実績注視度の比率が前記目標注視度比率よりも大きい広告コンテンツは、それが占める表示領域の大きさの比率を減少させ、前記実績注視度の比率が前記目標注視度比率よりも小さい広告コンテンツは、それが占める表示領域の大きさの比率を増加させるように前記適正化表示スケジュールを作成すること
を特徴とするコンテンツ表示制御方法。
【請求項２】
複数の表示領域にそれぞれ広告コンテンツを表示するコンテンツ表示装置に接続されたコンピュータにより、前記コンテンツ表示装置におけるコンテンツ表示を制御するコンテンツ表示制御方法であって、
前記コンピュータは、
所定の時間帯ごとに前記コンテンツ表示装置に表示する複数の広告コンテンツの表示領域の大きさの比率を定めたコンテンツ表示スケジュールを記憶したコンテンツ表示スケジュール記憶手段を備え、
前記コンピュータは、
前記コンテンツ表示スケジュール記憶手段に記憶されたコンテンツ表示スケジュールに従って、前記広告コンテンツを前記コンテンツ表示装置に表示する表示制御処理と、
前記コンテンツ表示装置に付属するカメラにより撮像された前記コンテンツ表示装置の前面側からの風景画像を取得し、その取得した風景画像の中から、前記コンテンツ表示装置に表示されたそれぞれの広告コンテンツを注視する注視者を、それぞれの広告コンテンツごとに検知する注視者検知処理と、
所定の時間帯ごとに前記注視者検知処理によって検知された前記それぞれの広告コンテンツの注視者数に基づき、前記それぞれの広告コンテンツの実績注視度を算出する注視度算出処理と、
前記注視度算出処理によって算出された前記時間帯ごとの前記複数の広告コンテンツのそれぞれの実績注視度の比率に応じて、前記コンテンツ表示スケジュールにおける前記時間帯ごとの前記それぞれの広告コンテンツの表示領域の大きさの比率を変更した適正化表示スケジュールを作成する表示スケジュール適正化処理と、
を実行し、
前記コンピュータは、前記表示スケジュール適正化処理では、
前記実績注視度の比率が表示領域の大きさの比率よりも大きい広告コンテンツは、当該表示領域の大きさの比率を増加させ、前記実績注視度の比率が表示領域の大きさの比率よりも小さい広告コンテンツは、当該表示領域の大きさの比率を減少させるように前記適正化表示スケジュールを作成すること
を特徴とするコンテンツ表示制御方法。
【請求項３】
複数の表示領域にそれぞれ広告コンテンツを表示するコンテンツ表示装置に接続されたコンピュータにより、前記コンテンツ表示装置におけるコンテンツ表示を制御するコンテンツ表示制御方法であって、
前記コンピュータは、
所定の時間帯ごとに前記コンテンツ表示装置に表示する複数の広告コンテンツの表示領域の位置を定めたコンテンツ表示スケジュールを記憶したコンテンツ表示スケジュール記憶手段を備え、
前記コンピュータは、
前記コンテンツ表示スケジュール記憶手段に記憶されたコンテンツ表示スケジュールに従って、前記広告コンテンツを前記コンテンツ表示装置に表示する表示制御処理と、
前記コンテンツ表示装置に付属するカメラにより撮像された前記コンテンツ表示装置の前面側からの風景画像を取得し、その取得した風景画像の中から、前記コンテンツ表示装置に表示されたそれぞれの広告コンテンツを注視する注視者を、それぞれの広告コンテンツごとに検知する注視者検知処理と、
所定の時間帯ごとに前記注視者検知処理によって検知された前記それぞれの広告コンテンツの注視者数に基づき、前記それぞれの広告コンテンツの実績注視度を算出する注視度算出処理と、
前記注視度算出処理によって算出された前記時間帯ごとの前記それぞれの広告コンテンツの実績注視度に応じて、前記コンテンツ表示スケジュールにおける前記時間帯ごとの前記それぞれの広告コンテンツの表示領域の位置を変更した適正化表示スケジュールを作成する表示スケジュール適正化処理と、
を実行し、
前記コンピュータは、前記表示スケジュール適正化処理では、
前記時間帯ごとに、前記注視度算出処理によって算出された前記それぞれの広告コンテンツの実績注視度の降順に前記広告コンテンツをソートし、前記ソートされた広告コンテンツと、そのそれぞれの広告コンテンツが表示された表示領域の領域ＩＤと、を互いに逆の順序で対応付け、
前記時間帯ごとに、前記それぞれの広告コンテンツの表示領域を、前記逆の順序で対応付けられた表示領域に変更して、前記適正化表示スケジュールを作成すること
を特徴とするコンテンツ表示制御方法。
【請求項４】
複数の表示領域にそれぞれ広告コンテンツを表示するコンテンツ表示装置に接続され、前記コンテンツ表示装置におけるコンテンツ表示を制御するコンテンツ表示制御装置であって、
所定の時間帯ごとに前記コンテンツ表示装置に表示する複数の広告コンテンツの表示領域の大きさの比率を定めたコンテンツ表示スケジュールを記憶したコンテンツ表示スケジュール記憶手段と、
前記表示される複数の広告コンテンツに対し予め定められたそれぞれの広告コンテンツの注視度の比率の目標である目標注視度比率を記憶する目標注視度比率記憶手段と、
前記コンテンツ表示スケジュール記憶手段に記憶されたコンテンツ表示スケジュールに従って、前記コンテンツを前記コンテンツ表示装置に表示する表示制御手段と、
前記コンテンツ表示装置に付属するカメラにより撮像された前記コンテンツ表示装置の前面側からの風景画像を取得し、その取得した風景画像の中から、前記コンテンツ表示装置に表示されたそれぞれの広告コンテンツを注視する注視者を、それぞれの広告コンテンツごとに検知する注視者検知手段と、
所定の時間帯ごとに前記注視者検知手段によって検知された前記それぞれの広告コンテンツの注視者数に基づき、前記それぞれの広告コンテンツの実績注視度を算出する注視度算出手段と、
前記注視度算出手段によって算出された前記時間帯ごとの前記複数の広告コンテンツのそれぞれの実績注視度の比率に応じて、前記コンテンツ表示スケジュールにおける前記時間帯ごとの前記それぞれの広告コンテンツの表示領域の大きさの比率を変更した適正化表示スケジュールを作成する表示スケジュール適正化手段と、
を備え、
前記表示スケジュール適正化手段は、
前記実績注視度の比率が前記目標注視度比率よりも大きい広告コンテンツは、それが占める表示領域の大きさの比率を減少させ、前記実績注視度の比率が前記目標注視度比率よりも小さい広告コンテンツは、それが占める表示領域の大きさの比率を増加させるように前記適正化表示スケジュールを作成すること
を特徴とするコンテンツ表示制御装置。
【請求項５】
複数の表示領域にそれぞれ広告コンテンツを表示するコンテンツ表示装置に接続され、前記コンテンツ表示装置におけるコンテンツ表示を制御するコンテンツ表示制御装置であって、
所定の時間帯ごとに前記コンテンツ表示装置に表示する複数の広告コンテンツの表示領域の大きさの比率を定めたコンテンツ表示スケジュールを記憶したコンテンツ表示スケジュール記憶手段と、
前記コンテンツ表示スケジュール記憶手段に記憶されたコンテンツ表示スケジュールに従って、前記コンテンツを前記コンテンツ表示装置に表示する表示制御手段と、
前記コンテンツ表示装置に付属するカメラにより撮像された前記コンテンツ表示装置の前面側からの風景画像を取得し、その取得した風景画像の中から、前記コンテンツ表示装置に表示されたそれぞれの広告コンテンツを注視する注視者を、それぞれの広告コンテンツごとに検知する注視者検知手段と、
所定の時間帯ごとに前記注視者検知手段によって検知された前記それぞれの広告コンテンツの注視者数に基づき、前記それぞれの広告コンテンツの実績注視度を算出する注視度算出手段と、
前記注視度算出手段によって算出された前記時間帯ごとの前記複数の広告コンテンツのそれぞれの実績注視度の比率に応じて、前記コンテンツ表示スケジュールにおける前記時間帯ごとの前記それぞれの広告コンテンツの表示領域の大きさの比率を変更した適正化表示スケジュールを作成する表示スケジュール適正化手段と、
を備え、
前記表示スケジュール適正化手段は、
前記実績注視度の比率が表示領域の大きさの比率よりも大きい広告コンテンツは、当該表示領域の大きさの比率を増加させ、前記実績注視度の比率が表示領域の大きさの比率よりも小さい広告コンテンツは、当該表示領域の大きさの比率を減少させるように前記適正化表示スケジュールを作成すること
を特徴とするコンテンツ表示制御装置。
【請求項６】
複数の表示領域にそれぞれ広告コンテンツを表示するコンテンツ表示装置に接続され、前記コンテンツ表示装置におけるコンテンツ表示を制御するコンテンツ表示制御装置であって、
所定の時間帯ごとに前記コンテンツ表示装置に表示する複数の広告コンテンツの表示領域の位置を定めたコンテンツ表示スケジュールを記憶したコンテンツ表示スケジュール記憶手段と、
前記コンテンツ表示スケジュール記憶手段に記憶されたコンテンツ表示スケジュールに従って、前記広告コンテンツを前記コンテンツ表示装置に表示する表示制御手段と、
前記コンテンツ表示装置に付属するカメラにより撮像された前記コンテンツ表示装置の前面側からの風景画像を取得し、その取得した風景画像の中から、前記コンテンツ表示装置に表示されたそれぞれの広告コンテンツを注視する注視者を、それぞれの広告コンテンツごとに検知する注視者検知手段と、
所定の時間帯ごとに前記注視者検知手段によって検知された前記それぞれの広告コンテンツの注視者数に基づき、前記それぞれの広告コンテンツの実績注視度を算出する注視度算出手段と、
前記注視度算出手段によって算出された前記時間帯ごとの前記複数の広告コンテンツのそれぞれの実績注視度に応じて、前記コンテンツ表示スケジュールにおける前記時間帯ごとの前記それぞれの広告コンテンツの表示領域の位置を変更した適正化表示スケジュールを作成する表示スケジュール適正化手段と、
備え、
前記表示スケジュール適正化手段は、
前記時間帯ごとに、前記注視度算出手段によって算出された前記それぞれの広告コンテンツの実績注視度の降順に前記広告コンテンツをソートし、前記ソートされた広告コンテンツと、そのそれぞれの広告コンテンツが表示された表示領域の領域ＩＤと、を互いに逆の順序で対応付け、
前記時間帯ごとに、前記それぞれの広告コンテンツの表示領域を、前記逆の順序で対応付けられた表示領域に変更して、前記適正化表示スケジュールを作成すること
を特徴とするコンテンツ表示制御装置。
【請求項７】
複数の表示領域にそれぞれ広告コンテンツを表示するコンテンツ表示装置と、
前記コンテンツ表示装置に付属する位置に設置され、前記コンテンツ表示装置の前面側からの風景を撮像するカメラと、
前記コンテンツ表示装置および前記カメラに接続され、前記コンテンツ表示装置におけるコンテンツ表示を制御するコンテンツ表示制御装置と、
を含んで構成されたコンテンツ表示システムであって、
前記コンテンツ表示制御装置は、
所定の時間帯ごとに前記コンテンツ表示装置に表示する複数の広告コンテンツの表示領域の大きさの比率を定めたコンテンツ表示スケジュールを記憶したコンテンツ表示スケジュール記憶手段と、
前記表示される複数の広告コンテンツに対し予め定められたそれぞれの広告コンテンツの注視度の比率の目標である目標注視度比率を記憶する目標注視度比率記憶手段と、
前記コンテンツ表示スケジュール記憶手段に記憶されたコンテンツ表示スケジュールに従って、前記コンテンツを前記コンテンツ表示装置に表示する表示制御手段と、
前記コンテンツ表示装置に付属するカメラにより撮像された前記コンテンツ表示装置の前面側からの風景画像を取得し、その取得した風景画像の中から、前記コンテンツ表示装置に表示されたそれぞれの広告コンテンツを注視する注視者を、それぞれの広告コンテンツごとに検知する注視者検知手段と、
所定の時間帯ごとに前記注視者検知手段によって検知された前記それぞれの広告コンテンツの注視者数に基づき、前記それぞれの広告コンテンツの実績注視度を算出する注視度算出手段と、
前記注視度算出手段によって算出された前記時間帯ごとの前記複数の広告コンテンツのそれぞれの実績注視度の比率に応じて、前記コンテンツ表示スケジュールにおける前記時間帯ごとの前記それぞれの広告コンテンツの表示領域の大きさの比率を変更した適正化表示スケジュールを作成する表示スケジュール適正化手段と、
を備え、
前記表示スケジュール適正化手段は、
前記実績注視度の比率が前記目標注視度比率よりも大きい広告コンテンツは、それが占める表示領域の大きさの比率を減少させ、前記実績注視度の比率が前記目標注視度比率よりも小さい広告コンテンツは、それが占める表示領域の大きさの比率を増加させるように前記適正化表示スケジュールを作成すること
を特徴とするコンテンツ表示システム。
【請求項８】
複数の表示領域にそれぞれ広告コンテンツを表示するコンテンツ表示装置と、
前記コンテンツ表示装置に付属する位置に設置され、前記コンテンツ表示装置の前面側からの風景を撮像するカメラと、
前記コンテンツ表示装置および前記カメラに接続され、前記コンテンツ表示装置におけるコンテンツ表示を制御するコンテンツ表示制御装置と、
を含んで構成されたコンテンツ表示システムであって、
前記コンテンツ表示制御装置は、
所定の時間帯ごとに前記コンテンツ表示装置に表示する複数の広告コンテンツの表示領域の大きさの比率を定めたコンテンツ表示スケジュールを記憶したコンテンツ表示スケジュール記憶手段と、
前記コンテンツ表示スケジュール記憶手段に記憶されたコンテンツ表示スケジュールに従って、前記コンテンツを前記コンテンツ表示装置に表示する表示制御手段と、
前記コンテンツ表示装置に付属するカメラにより撮像された前記コンテンツ表示装置の前面側からの風景画像を取得し、その取得した風景画像の中から、前記コンテンツ表示装置に表示されたそれぞれの広告コンテンツを注視する注視者を、それぞれの広告コンテンツごとに検知する注視者検知手段と、
所定の時間帯ごとに前記注視者検知手段によって検知された前記それぞれの広告コンテンツの注視者数に基づき、前記それぞれの広告コンテンツの実績注視度を算出する注視度算出手段と、
前記注視度算出手段によって算出された前記時間帯ごとの前記複数の広告コンテンツのそれぞれの実績注視度の比率に応じて、前記コンテンツ表示スケジュールにおける前記時間帯ごとの前記それぞれの広告コンテンツの表示領域の大きさの比率を変更した適正化表示スケジュールを作成する表示スケジュール適正化手段と、
を備え、
前記表示スケジュール適正化手段は、
前記実績注視度の比率が表示領域の大きさの比率よりも大きい広告コンテンツは、当該表示領域の大きさの比率を増加させ、前記実績注視度の比率が表示領域の大きさの比率よりも小さい広告コンテンツは、当該表示領域の大きさの比率を減少させるように前記適正化表示スケジュールを作成すること
を特徴とするコンテンツ表示システム。
【請求項９】
前記コンテンツ表示制御装置に通信ネットワークを介して接続されたリモート監視装置を、さらに、含んで構成され、
前記コンテンツ表示制御装置は、
前記注視者検知手段によって検出された注視者の概略形状を表す画像および前記注視者数の少なくとも一方を含んだ情報を、前記通信ネットワークを介して前記リモート監視装置に提供する注視者情報提供手段
を備えたこと
を特徴とする請求項７または請求項８に記載のコンテンツ表示システム。
【発明の詳細な説明】
【技術分野】
【０００１】
本発明は、電子式広告掲示板などに複数の広告コンテンツを表示する場合に好適なコンテンツ表示制御方法、コンテンツ表示制御装置およびコンテンツ表示システムに関する。
【背景技術】
【０００２】
近年、カメラで撮像された人の顔の向きや目の中における瞳の位置を解析することによって、その人の視線を検知する技術が様々な分野で応用され始めている。例えば、特許文献１には、ウィンドウショッピングをしている顧客の視線を求め、その視線方向を顧客が興味を抱いている商品の検知に応用する技術が開示されている。また、引用文献２には、広告メディアを視聴している視聴者の視線および注視度を解析することにより、広告の効果を測定する技術が開示されている。また、特許文献３には、顧客の視線に応じて、インタラクティブに表示内容を変更する電子看板システムの技術が開示されている。
【先行技術文献】
【特許文献】
【０００３】
【特許文献１】特開平１１−２４６０３号公報
【特許文献２】特開２０１０−１０８２５７号公報
【特許文献３】特開２００９−１０４４２６号公報
【発明の概要】
【発明が解決しようとする課題】
【０００４】
ところで、近年、大勢の人が行き交う街中、ショッピングセンタ、駅などには、多くの大型の電子式広告掲示板が設けられている。そのような電子式広告掲示板に広告を出す広告主は、その広告の効果がより大きくなることを期待する。引用文献１，２には、商品の陳列または広告に対する注視度を取得する技術は開示されているものの、その取得された注視度を、その後の陳列または広告に具体的にどのように活かすかについては、言及されていない。
【０００５】
また、特許文献３に開示された電子看板では、顧客の視線に応じた表示内容の変更が可能ではあるが、その電子看板は、レストランのメニューなどの表示を対象としたものであり、また、その顧客の視線は、ある１人の顧客の視線に限定されたものである。従って、特許文献３に開示された技術では、不特定多数の人が見る電子式広告掲示板に表示される広告の効果を向上させることは困難である。
【０００６】
このような従来技術の問題点に鑑み、本発明は、表示した広告コンテンツに対する不特定多数の人の注視度に応じて、その広告効果を向上させるように表示スケジュールを変更することが可能なコンテンツ表示制御方法、コンテンツ表示制御装置およびコンテンツ表示システムを提供することを目的とする。
【課題を解決するための手段】
【０００７】
本発明に係るコンテンツ制御装置は、複数の表示領域にそれぞれ広告コンテンツを表示するコンテンツ表示装置に接続され、そのコンテンツ表示装置におけるコンテンツ表示を制御する装置であって、（１）所定の時間帯ごとに前記コンテンツ表示装置に表示する複数の広告コンテンツの表示領域の大きさの比率を定めたコンテンツ表示スケジュールを記憶したコンテンツ表示スケジュール記憶手段と、（２）前記表示される複数の広告コンテンツに対し予め定められたそれぞれの広告コンテンツの注視度の比率の目標である目標注視度比率を記憶する目標注視度比率記憶手段と、（３）そのコンテンツ表示スケジュール記憶手段に記憶されたコンテンツ表示スケジュールに従って、広告コンテンツを前記コンテンツ表示装置に表示する表示制御手段と、（４）そのコンテンツ表示装置に付属するカメラにより撮像されたそのコンテンツ表示装置の前面側からの風景画像を取得し、その取得した風景画像の中から、そのコンテンツ表示装置に表示されたそれぞれの広告コンテンツを注視する注視者を、それぞれの広告コンテンツごとに検知する注視者検知手段と、（５）所定の時間帯ごとに前記注視者検知手段によって検知されたそれぞれの広告コンテンツの注視者数に基づき、そのそれぞれの広告コンテンツの実績注視度を算出する注視度算出手段と、（６）前記注視度算出手段によって算出された前記時間帯ごとの前記複数の広告コンテンツのそれぞれの実績注視度の比率に応じて、前記コンテンツ表示スケジュールにおける所定の時間帯ごとのそれぞれの広告コンテンツの表示領域の大きさの比率を変更する表示スケジュール適正化手段と、を備え、（７）前記表示スケジュール適正化手段は、前記実績注視度の比率が前記目標注視度比率よりも大きい広告コンテンツは、それが占める表示領域の大きさの比率を減少させ、前記実績注視度の比率が前記目標注視度比率よりも小さい広告コンテンツは、それが占める表示領域の大きさの比率を増加させるように前記適正化表示スケジュールを作成すること、を特徴とする。
【０００８】
本発明によれば、あらかじめ与えられたコンテンツ表示スケジュールに従って、複数の広告コンテンツをコンテンツ表示装置に表示したとき得られるそれぞれの広告コンテンツの注視度に応じて、そのコンテンツ表示スケジュールを変更した適正化表示スケジュールを得ることができる。従って、その適正化表示スケジュールを、新たなあらかじめ与えられたコンテンツ表示スケジュールとして利用することができるので、広告の効果を向上させることができる。
【発明の効果】
【０００９】
本発明によれば、表示した広告コンテンツに対する不特定多数の人の注視度に応じて、その広告効果を向上させるように表示スケジュールを変更することが可能なコンテンツ表示制御方法、コンテンツ表示制御装置およびコンテンツ表示システムが提供される。
【図面の簡単な説明】
【００１０】
【図１】本発明の第１の実施形態に係るコンテンツ表示システムの全体構成の例を示した図。
【図２】注視者検知部の機能を説明する図であり、（ａ）は、コンテンツ表示装置前面の風景のカメラ撮像画像の例、（ｂ）は、注視者概略画像の例、（ｃ）は、注視者数時間推移グラフの例。
【図３】コンテンツ表示スケジュール記憶部に記憶されるコンテンツ表示スケジュールテーブルの構成の例を示した図。
【図４】目標注視度記憶部に記憶される目標注視度テーブルの構成の例を示した図。
【図５】実績注視度記憶部に記憶される実績注視度テーブルの構成の例を示した図。
【図６】適正化表示スケジュール記憶部に記憶される適正化表示スケジュールテーブルの構成の例を示した図。
【図７】目標注視度設定部による目標注視度設定処理の処理フローの例を示した図。
【図８】差分注視度算出部による差分注視度算出処理の処理フローの例を示した図。
【図９】差分注視度記憶部に記憶される差分注視度テーブルの構成の例を示した図。
【図１０】表示スケジュール適正化部による表示スケジュール適正化処理の処理フローの例を示した図。
【図１１】図１０における表示領域分割比の移し替え処理の詳細な処理フローの例を示した図。
【図１２】第２の実施形態に係るコンテンツ表示スケジュールテーブルの構成の例を示した図。
【図１３】第２の実施形態に係る目標注視度テーブルの構成の例を示した図。
【図１４】第２の実施形態に係る実績注視度テーブルの構成の例を示した図。
【図１５】第２の実施形態に係る適正化表示スケジュールテーブルの構成の例を示した図。
【図１６】第２の実施形態に係る表示スケジュール適正化処理の処理フローの例を示した図。
【図１７】第３の実施形態に係るコンテンツ表示スケジュールテーブルの構成の例を示した図。
【図１８】第３の実施形態に係る実績注視度テーブルの構成の例を示した図。
【図１９】第３の実施形態に係る適正化表示スケジュールテーブルの構成の例を示した図。
【図２０】第３の実施形態に係る表示スケジュール適正化処理の処理フロー（前半部）の例を示した図。
【図２１】第３の実施形態に係る表示スケジュール適正化処理の処理フロー（後半部）の例を示した図。
【図２２】第３の実施形態に係る表示スケジュール適正化処理で用いられる注視度順位テーブルおよび実績注視度作業テーブルの構成の例を示した図。
【発明を実施するための形態】
【００１１】
以下、本発明の実施形態について、図面を参照して詳細に説明する。
【００１２】
＜第１の実施形態＞
（１．システムの全体構成および機能の概要）
図１は、本発明の第１の実施形態に係るコンテンツ表示システムの全体構成の例を示した図である。図１に示すように、本発明の第１の実施形態に係るコンテンツ表示システム１００は、コンテンツ表示装置４、カメラ４１、コンテンツ表示制御装置１、リモート監視装置５などを含んで構成される。
【００１３】
ここで、コンテンツ表示装置４は、大画面のプラズマ表示装置、液晶表示装置、電子ペーパーなどによって構成され、その表示画面は、複数の表示領域に分割され、それぞれの表示領域には、それぞれ異なる広告コンテンツが表示される。ちなみに、図１の例では、コンテンツ表示装置４の表示画面は、４つの表示領域、領域＜１＞〜＜４＞に分割されているとしている。また、ハードウエア的には、１つのコンテンツ表示装置４の表示画面が１つの液晶パネルなどで構成されている必要はなく、複数の液晶パネルなどで構成されていてもよい。
【００１４】
カメラ４１は、例えば、１秒間に数コマないし１０数コマの画像を撮影可能なディジタルビデオカメラなどによって構成され、コンテンツ表示装置４に付属する形態で、コンテンツ表示装置４の表示画面の周辺位置に設けられ、コンテンツ表示装置４の前面側から見える風景を撮像する。従って、その撮像画像には、コンテンツ表示装置４の前面を通行する通行人７１や、コンテンツ表示装置４に表示されている広告コンテンツを注視している注視者７０などの姿が捉えられる。
【００１５】
コンテンツ表示制御装置１は、コンテンツ表示装置４およびカメラ４１に接続されたコンピュータによって構成され、コンテンツ表示装置４に対する広告コンテンツの表示を制御するとともに、カメラ４１によって撮像された風景画像を取得して、その中に含まれる人の顔の向きなどを解析して、当該コンテンツ表示装置４に表示されている広告コンテンツを注視している注視者７０に関する情報を取得する。なお、コンテンツ表示制御装置１の詳細な構成や機能については、以下、この明細書で順次説明していく。
【００１６】
リモート監視装置５は、通信ネットワーク６を介して、コンテンツ表示制御装置１に接続されたパーソナルコンピュータなどによって構成され、全体システムのシステム管理者や広告コンテンツの広告主などが、コンテンツ表示装置４に表示されている広告コンテンツの注視状況を、実時間で監視するために用いられる。なお、リモート監視装置５を介してシステム管理者や広告主に提供される情報については、次に、図２を用いて詳しく説明する。
【００１７】
さらに、図１に示すように、第１の実施形態に係るコンテンツ表示制御装置１は、カメラインタフェース部１１、表示装置インタフェース部１２、ネットワークインタフェース部１３、処理部２０、記憶部３０などの機能ブロックによって構成される。
【００１８】
ここで、処理部２０は、ハードウエア的には、図示しないＣＰＵ（Central Processing Unit）と、そのＣＰＵが実行すべきプログラムが格納された図示しない記憶装置（ＲＡＭ（Random Access Memory）、フラッシュメモリ、ハードディスク装置など）と、を含んで構成される。また、処理部２０は、機能的には、注視者検知部２１、注視度算出部２２、目標注視度設定部２３、差分注視度算出部２４、表示スケジュール適正化部２５、表示制御部２６、注視情報提供部２７、コンテンツ受信部２８などの機能ブロックを含んで構成される。
【００１９】
また、記憶部３０は、図示しない記憶装置（ＲＡＭ、フラッシュメモリ、ハードディスク装置など）によって構成され、その記憶装置の中に、注視者情報記憶部３１、コンテンツ表示スケジュール記憶部３２、目標注視度記憶部３３、実績注視度記憶部３４、差分注視度記憶部３５、適正化表示スケジュール記憶部３６、コンテンツ記憶部３７などの記憶機能ブロックが構成される。
【００２０】
なお、処理部２０に含まれている機能ブロックの機能は、前記ＣＰＵが前記記憶装置に格納されている所定のプログラムを実行することによって実現される。従って、その動作主体は、前記ＣＰＵであるが、本明細書では、しばしば、これらの機能ブロックを主語として用いる場合がある。その場合には、例えば、「注視者検知部２１が・・・する」という記載は、「ＣＰＵが、注視者検知部２１のプログラムを実行することによって、・・・する」ことを意味するものとする。
【００２１】
（２．注視者の検知）
次に、図２を参照して、注視者検知部２１の機能について説明する。図２は、注視者検知部２１の機能を説明する図であり、（ａ）は、コンテンツ表示装置４前面の風景のカメラ撮像画像の例、（ｂ）は、注視者概略画像の例、（ｃ）は、注視者数時間推移グラフの例である。
【００２２】
注視者検知部２１は、カメラインタフェース部１１を介して、カメラ４１で撮像されたコンテンツ表示装置４の前面側から見える風景のカメラ撮像画像（図２（ａ）参照）を取得し、そのカメラ撮像画像の中から人の顔を検出し、その顔の向きや目の瞳の位置を解析することによって、その人の視線方向を検出する。そして、その視線方向に基づき、その人がコンテンツ表示装置４を注視しているか否かを判定する。このような視線方向の検知技術は、公知技術であるので、詳細な説明を省略する。
【００２３】
注視者検知部２１は、カメラ撮像画像からコンテンツ表示装置４を注視している人（すなわち、注視者７０）の顔を検知すると、その検知された人の顔の画像を、個人を特定することができない画像、例えば、概略形状を表す画像（以下、注視者概略画像という：図２（ｂ）参照）を生成し、注視者情報記憶部３１に格納する。さらに、注視者検知部２１は、コンテンツ表示装置４に表示されている広告コンテンツごとに、その広告コンテンツを注視している注視者７０の数をカウントする。
【００２４】
ここで、注視者７０とは、ある瞬間の１コマのカメラ撮像画像の中で、視線を当該コンテンツ表示装置４に向けている人のことをいう。ただし、本実施形態では、その人が、単に一瞥しただけなのか、興味があって注視したのかについては問題としない。また、注視者数とは、その１コマのカメラ撮像画像の中で、視線を当該コンテンツ表示装置４に向けている人（注視者７０）の数をいう。また、その場合、注視者数は、注視者７０がコンテンツ表示装置４に表示されている複数のコンテンツのうち、いずれのコンテンツを注視しているかを識別して、注視しているコンテンツごとにカウントされる。
【００２５】
また、本実施形態では、カメラ撮像画像は、例えば、１秒間に５コマ取得されるが、注視者検知部２１は、連続する複数のコマのカメラ撮像画像の中で、同一人が注視しているか否かについての判定を行わない。従って、ある時間範囲（例えば、１分間）に得られる複数のカメラ撮像画像を用いて注視者数をカウントした場合には、同一人が複数回カウントされることになる（すなわち、延べ人数）。そのため、一瞥した人は、例えば、１人としてしかカウントされないが、興味があって長く注視した人は、例えば、１０人としてカウントされる。その結果、本実施形態でいう注視者数は、コンテンツ表示装置４に表示されている広告コンテンツの人気度という意味での注視度を計測する指標となっている。
【００２６】
そこで、注視者検知部２１は、例えば、１分ごとに、その１分間に撮像されるカメラ撮像画像のそれぞれから取得される注視者数を集計し、図２（ｃ）に示すような注視者数の時間推移グラフを作成し、注視者情報記憶部３１に格納する。さらに、本実施形態では、例えば、１１時から１２時までの１分ごとの注視者数を累積して、１１時台という時間帯における注視者数を求める。そして、後記する実績注視度の算出においては、このような時間帯における注視者数を用いる。
【００２７】
以上のようにして取得され、注視者情報記憶部３１に格納された各コマの注視者概略画像および注視者数の時間推移グラフは、注視情報提供部２７により、ネットワークインタフェース部１３および通信ネットワーク６を介して、リモート監視装置５に送信される。リモート監視装置５は、各コマの注視者概略画像および注視者数の時間推移グラフを受信すると、その受信した各コマの注視者概略画像および注視者数の時間推移グラフを付属する表示装置５１に表示する。従って、システムの管理者や広告主は、コンテンツ表示装置４に表示されている広告コンテンツの注視状況を、実時間で知ることができる。
【００２８】
（３．広告コンテンツの表示）
図３は、コンテンツ表示スケジュール記憶部３２に記憶されるコンテンツ表示スケジュールテーブル３２０の構成の例を示した図である。図３に示すように、コンテンツ表示スケジュールテーブル３２０の各欄には、それぞれの時間帯ごとに、コンテンツＩＤ欄で指定される広告コンテンツをコンテンツ表示装置４に表示するときの表示領域の大きさの割合（以下、表示領域分割比という：図３では、％表示）が格納される。
【００２９】
ちなみに、図３の例によれば、１０：００からは、広告コンテンツ“Ａ”および広告コンテンツ“Ｂ”の２つの広告コンテンツが、表示領域分割比６０％対４０％の割合で、コンテンツ表示装置４に表示される。また、１５：００からは、広告コンテンツ“Ｃ”および広告コンテンツ“Ｄ”の２つの広告コンテンツが、表示領域分割比が５０％対５０％の割合で、コンテンツ表示装置４に表示される。
【００３０】
なお、図３の例では、コンテンツ表示装置４の１日の表示時間は、１０：００〜２０：００、また、時間帯の数は、１０となっているが、その１日の表示時間や時間帯の数がこの例に限定されることはない。１日の表示時間が、例えば、６：００〜２４：００などであってもよい。また、図３の例では、１つの時間帯の長さは、１時間であるが、その時間帯の長さが、２時間や３時間などであってもよい。
【００３１】
表示制御部２６（図１参照）は、コンテンツ表示スケジュール記憶部３２に記憶されているコンテンツ表示スケジュールテーブル３２０から、それぞれの時間帯ごとのコンテンツＩＤおよび表示領域分割比を読み出し、それぞれの時間帯に、コンテンツＩＤで指定された広告コンテンツを、指定された表示領域分割比の大きさで、コンテンツ表示装置４に表示させる。
【００３２】
以上のように、コンテンツ表示スケジュールテーブル３２０は、広告コンテンツ表示のいわば番組表といえるものである。従って、コンテンツ表示スケジュールテーブル３２０における広告コンテンツの時間配分や表示領域分割比には、例えば、「大きな広告効果を期待する広告コンテンツは、より長く、より大きく広告する」などといったシステム管理者や広告主の意思を入れ込むことができる。
【００３３】
そこで、本実施形態では、システム管理者や広告主が、例えば、リモート監視装置５を介して、コンテンツ表示スケジュールテーブル３２０の内容を任意に設定可能なものであるとする。ただし、図１では、コンテンツ表示スケジュールテーブル３２０の内容を設定する機能ブロックの図示は、省略されている。
【００３４】
また、広告コンテンツそのものも、システム管理者や広告主が任意に設定可能な情報である。そこで、ここでは、広告主などにより作成された広告コンテンツは、リモート監視装置５から通信ネットワーク６を介してコンテンツ表示制御装置１へ送信されるものとし、コンテンツ表示制御装置１には、コンテンツ受信部２８が設けられている。すなわち、コンテンツ受信部２８は、リモート監視装置５から送信される広告コンテンツを受信し、受信した広告コンテンツをコンテンツ記憶部３７へ格納する。
【００３５】
（４．目標注視度の設定および実績注視度の算出）
図４は、目標注視度記憶部３３に記憶される目標注視度テーブル３３０の構成の例を示した図、図５は、実績注視度記憶部３４に記憶される実績注視度テーブル３４０の構成の例を示した図である。
【００３６】
図４に示すように、目標注視度テーブル３３０の各欄に格納される目標注視度は、コンテンツ表示スケジュールテーブル３２０によって指定されるそれぞれ広告コンテンツのそれぞれの時間帯における注視度の目標値を表した数値である。なお、図４における目標注視度は、全広告コンテンツおよび全時間帯についての目標注視度の総和が１（１００％：図４では、％表示）になるように規格化されている。参考のために、図４には、目標注視度のコンテンツＩＤ別小計および時間帯別小計が示されている。
【００３７】
ところで、広告コンテンツの画像などの特徴を除外すれば、注視度は、コンテンツ表示装置４における表示面積におおむね比例するとみなすことができる。そこで、本実施形態では、目標注視度設定部２３が、コンテンツ表示スケジュールテーブル３２０に基づき、目標注視度テーブル３３０を設定するようにしている。なお、目標注視度設定部２３における目標注視度設定の詳細な処理フローについては、別途、図７を参照して説明する。
【００３８】
また、図５に示すように、実績注視度テーブル３４０の各欄に格納される実績注視度は、注視度算出部２２により算出された実績注視度が格納される。このとき、注視度算出部２２は、コンテンツ表示スケジュールテーブル３２０に従って所定の広告コンテンツが所定の時間帯にコンテンツ表示装置４に表示されたとき、実際に、注視者検知部２１によって検知された注視者数を用いて、その実績注視度を算出する。
【００３９】
すなわち、注視度算出部２２は、広告コンテンツαの時間帯βにおける注視度Ｇ（α，β）を、次の式（１）に基づき算出する。
Ｇ（α，β）＝Ｎ（α，β）／ΣΣＮ（α，β）        式（１）
ここで、注視者数Ｎ（α，β）は、注視者検知部２１によって検知された時間帯βに広告コンテンツαを注視した注視者の数である。また、記号ΣΣは、すべてのαおよびβの組に対して、総和をとることを表す。
【００４０】
なお、式（１）からも分かるように、実績注視度も、目標注視度と同様に、全広告コンテンツおよび全時間帯についての実績注視度の総和が１（１００％：図５では、％表示）になるように規格化されている。また、参考のために、図５には、目標注視度のコンテンツＩＤ別小計および時間帯別小計が示されている。
【００４１】
（５．表示スケジュールの適正化）
ここまでに説明してきたようにして、コンテンツ表示制御装置１は、あるコンテンツ表示スケジュールテーブル３２０に従って、所定の広告コンテンツを所定の時間帯にコンテンツ表示装置４に表示させるとともに、そのとき注視者検知部２１および注視度算出部２２によって、表示した広告コンテンツについての実績注視度を取得する。そのとき、その実績注視度が予定されていた目標注視度テーブル３３０の目標注視度と相違していた場合には、コンテンツ表示スケジュールテーブル３２０を修正して、実績注視度と目標注視度との相違を減ずるための処置が必要となる。本実施形態では、その相違を減ずるための処置を行う処理を表示スケジュール適正化処理と呼ぶ。
【００４２】
図６は、適正化表示スケジュール記憶部３６に記憶される適正化表示スケジュールテーブルの構成の例を示した図である。適正化表示スケジュールテーブル３６０の構成は、コンテンツ表示スケジュールテーブル３２０と同じである。適正化表示スケジュールテーブル３６０には、表示スケジュールの適正化によって適正化された新たなコンテンツ表示スケジュールが格納される。
【００４３】
ちなみに、図４および図５の例では、ある１日のコンテンツ“Ａ”の実績注視度は、目標注視度よりも１０％大きく、コンテンツ“Ｃ”の実績注視度は、目標注視度よりも５％大きく、コンテンツ“Ｄ”の実績注視度は、目標注視度よりも１５％小さい。そこで、表示スケジュールの適正化処理では、コンテンツ“Ａ”および“Ｃ”の実績注視度を減ずるために、その表示時間や表示領域分割比を小さくする。そして、その結果は、図６に示されているように、１４時台のコンテンツ“Ａ”の表示は、コンテンツ“Ｄ”に差し替えられ、１９時台のコンテンツ“Ｃ”および“Ｄ”の表示領域分割比が変更されている。
【００４４】
以下、図７〜図１１を新たに示し、また、図３〜図６を適宜参照しつつ、表示スケジュール適正化処理について説明する。表示スケジュール適正化処理は、表示スケジュール適正化部２５（図１参照）によって行われる処理であるが、表示スケジュール適正化処理の前には、目標注視度設定部２３および差分注視度算出部２４による処理が行われる。
【００４５】
図７は、目標注視度設定部２３による目標注視度設定処理の処理フローの例を示した図である。前記したように、目標注視度設定処理は、コンテンツ表示スケジュールテーブル３２０から目標注視度テーブル３３０を生成する処理である。
【００４６】
図７に示すように、コンテンツ表示制御装置１のＣＰＵ（以下、単に、ＣＰＵという）は、コンテンツ表示スケジュールテーブル３２０に含まれるコンテンツＩＤ［α］での繰り返しを開始し（ステップＳ１１）、さらに、時間帯［β］での繰り返しを開始する（ステップＳ１２）。そして、その繰り返しの中で、ＣＰＵは、コンテンツ表示スケジュールテーブル３２０の時間帯のデータから、時間帯分割比［ａ］を取得し（ステップＳ１３）、さらに、コンテンツ表示スケジュールテーブル３２０からコンテンツＩＤ［α］、時間帯［β］における表示領域分割比［ｂ］を取得する（ステップＳ１４）。なお、図３のコンテンツ表示スケジュールテーブル３２０の例では、時間帯分割比［ａ］は、０．１である。
【００４７】
続いて、ＣＰＵは、目標注視度［ｃ］＝［ａ］×［ｂ］を算出し（ステップＳ１５）、その算出した目標注視度［ｃ］を、目標注視度テーブル３３０のコンテンツＩＤ［α］、時間帯［β］のデータとして登録する（ステップＳ１６）。次に、ＣＰＵは、コンテンツＩＤ別小計［ｄ］＝［ｄ］＋［ｃ］を算出し（ステップＳ１７）、時間帯［β］での繰り返しの終了判定を行う（ステップＳ１８）。
【００４８】
なお、時間帯［β］での繰り返しの終了判定を行うとは、あらかじめ定められたすべての時間帯［β］のケースについて、所定の繰り返し処理が実行されたか否かを判定し、すべての時間帯［β］のケースについて実行済の場合には、当該繰り返しの処理を終了し、一方、実行未済の時間帯［β］のケースが残っている場合には、そのケースについて当該繰り返し処理を、再度、実行することを意味する。また、以下において、コンテンツＩＤ［α］での繰り返しの終了判定などという記載についても、その意味は同様である。
【００４９】
ＣＰＵは、時間帯［β］での繰り返し処理を終了すると、目標注視度テーブル３３０のコンテンツＩＤ［α］のコンテンツＩＤ別小計として［ｄ］を登録し（ステップＳ１９）、コンテンツＩＤ［α］での繰り返し終了の判定を行い（ステップＳ２０）、その後、目標注視度設定処理を終了する。
【００５０】
図８は、差分注視度算出部２４による差分注視度算出処理の処理フローの例を示した図である。また、図９は、差分注視度記憶部３５に記憶される差分注視度テーブルの構成の例を示した図である。差分注視度算出処理は、目標注視度テーブル３３０と実績注視度テーブル３４０から差分注視度テーブル３５０を生成する処理である。図９に示すように、差分注視度テーブル３５０のレコードは、コンテンツＩＤ、時間帯、差分注視度の各欄により構成されている。
【００５１】
図８に示すように、ＣＰＵは、まず、目標注視度テーブル３３０に含まれるコンテンツＩＤ［α］での繰り返しを開始し（ステップＳ３１）、目標注視度テーブル３３０からコンテンツＩＤ［α］のコンテンツＩＤ別小計［ｄ］を取得し（ステップＳ３２）、実績注視度テーブル３４０からコンテンツＩＤ［α］のコンテンツＩＤ別小計［ｅ］を取得する（ステップＳ３３）。次に、ＣＰＵは、前記の小計同士の差分［ｆ］＝［ｅ］−［ｄ］を求め、その差分［ｆ］が０より大きいか否かを判定する（ステップＳ３４）。
【００５２】
その判定の結果、差分［ｆ］が０より大きかった場合には（ステップＳ３４でＹｅｓ）、ＣＰＵは、時間帯［β］での繰り返しを開始する（ステップＳ３５）。ＣＰＵは、実績注視度テーブル３４０からコンテンツＩＤ［α］、時間帯［β］における実績注視度［ｇ］を取得し（ステップＳ３６）、前記の［ｆ］が実績注視度［ｇ］以上であるか否かを判定する（ステップＳ３７）。
【００５３】
ステップＳ３７の判定で、［ｆ］が実績注視度［ｇ］以上であった場合には（ステップＳ３７でＹｅｓ）、ＣＰＵは、その時点でのコンテンツＩＤ［α］、時間帯［β］および実績注視度［ｇ］を、差分注視度テーブル３５０に登録する（ステップＳ３８）。さらに、ＣＰＵは、［ｆ］＝［ｆ］−［ｇ］を計算し（ステップＳ３９）、時間帯［β］での繰り返し終了の判定を行う（ステップＳ４０）。
【００５４】
一方、ステップＳ３７の判定で、［ｆ］が実績注視度［ｇ］より小さかった場合には（ステップＳ３７でＮｏ）、ＣＰＵは、その時点でのコンテンツＩＤ［α］、時間帯［β］および［ｆ］を、差分注視度テーブル３５０に登録し（ステップＳ４１）、時間帯［β］での繰り返しのループ（ステップＳ３５〜Ｓ４０）から脱出する。
【００５５】
ＣＰＵは、ステップＳ３４の判定の結果、差分［ｆ］が０より大きくなかった場合には（ステップＳ３４でＮｏ）、ステップＳ３４〜Ｓ４０までの処理をスキップする。従って、ステップＳ３４〜Ｓ４２までの処理をスキップした場合、さらに、ステップＳ４０またはステップＳ４１を実行した場合には、コンテンツＩＤ［α］での繰り返し終了の判定を行い（ステップＳ４０）、その後、差分注視度算出処理を終了する。
【００５６】
図４の目標注視度テーブル３３０および図５の実績注視度テーブル３４０例の場合、以上に示した差分注視度算出処理によって、図９に示すような差分注視度テーブル３５０が得られる。図９の差分注視度テーブル３５０の例は、コンテンツ“Ａ”については、１４時台の差分注視度の１０％が余剰であり、コンテンツ“Ｃ”については、１９時台の差分注視度の５％が余剰であることを示している。なお、この場合、図８の差分注視度算出処理では、時間帯［β］の繰り返しは、１９時台側から１０時台側の方向へ順次行われたものとしている。
【００５７】
図１０は、表示スケジュール適正化部２５による表示スケジュール適正化処理の処理フローの例を示した図である。表示スケジュール適正化処理は、差分注視度テーブル３５０を用いてコンテンツ表示スケジュールテーブル３２０を適正化し、適正化表示スケジュールテーブル３６０を生成する処理である。
【００５８】
図１０に示すように、ＣＰＵは、まず、コンテンツ表示スケジュールテーブル３２０の各欄のデータを全件読み出し、適正化表示スケジュールテーブル３６０の対応する欄にコピーする（ステップＳ５１）。この処理は、適正化表示スケジュールテーブル３６０を初期化する処理である。
【００５９】
次に、ＣＰＵは、コンテンツ表示スケジュールテーブル３２０に含まれるコンテンツＩＤ［α］での繰り返しを開始して（ステップＳ５２）、目標注視度テーブル３３０からコンテンツＩＤ［α］のコンテンツＩＤ別小計［ｄ］を取得し（ステップＳ５３）、実績注視度テーブル３４０からコンテンツＩＤ［α］のコンテンツＩＤ別小計［ｅ］を取得する（ステップＳ５４）。次に、ＣＰＵは、前記の小計同士の差分［ｈ］＝［ｄ］−［ｅ］を求め、その差分［ｈ］が０より大きいか否かを判定する（ステップＳ５５）。
【００６０】
その判定の結果、差分［ｈ］が０より大きかった場合には（ステップＳ５５でＹｅｓ）、ＣＰＵは、時間帯［β］での繰り返しを開始し（ステップＳ５６）、さらに、コンテンツＩＤ［γ］での繰り返しを開始する（ステップＳ５７）。なお、コンテンツＩＤ［γ］は、コンテンツＩＤ［α］とは異なるパラメータである。
【００６１】
次に、ＣＰＵは、差分注視度テーブル３５０からコンテンツＩＤ［γ］、時間帯［β］に該当する差分注視度［ｉ］を取得する（ステップＳ５８）。そのとき、該当する差分注視度［ｉ］が存在した場合には（ステップＳ５９でＹｅｓ）、ＣＰＵは、表示領域分割比の移し替え処理を実行するが（ステップＳ６０）、該当する差分注視度［ｉ］が存在しなかった場合には（ステップＳ５９でＮｏ）、表示領域分割比の移し替え処理の実行（ステップＳ６０）をスキップする。なお、表示領域分割比の移し替え処理については、別途、図１１を参照して詳しく説明する。
【００６２】
次に、ＣＰＵは、コンテンツＩＤ［γ］での繰り返し終了の判定を行い（ステップＳ６１）、時間帯［β］での繰り返しの終了判定を行い（ステップＳ６２）、さらに、コンテンツＩＤ［α］での繰り返し終了の判定を行い（ステップＳ６３）、その後、表示スケジュール適正化処理を終了する。また、ステップステップＳ５５の判定で、差分［ｈ］が０より大きくなかった場合には（ステップＳ５５でＮｏ）、ＣＰＵは、コンテンツＩＤ［α］での繰り返し終了の判定を行い（ステップＳ６３）、その後、表示スケジュール適正化処理を終了する。
【００６３】
図１１は、図１０における表示領域分割比の移し替え処理の詳細な処理フローの例を示した図である。ここで、表示領域分割比の移し替え処理とは、目標注視度に比べて余剰の実績注視度を有するコンテンツの表示領域分割比を、目標注視度よりも実績注視度が不足しているコンテンツの表示領域分割比へ移し替える処理をいう。
【００６４】
まず、表示領域分割比の移し替え処理が開始されるときには、差分注視度テーブル３５０からコンテンツＩＤ［γ］、時間帯［β］および差分注視度［ｉ］が取得された状態にある。そこで、ＣＰＵは、まず、実績注視度テーブル３４０からコンテンツＩＤ［γ］、時間帯［β］における実績注視度［ｊ］を取得し（ステップＳ７１）、さらに、適正化表示スケジュールテーブル３６０からコンテンツＩＤ［γ］、時間帯［β］における表示領域分割比［ｋ］を取得する（ステップＳ７２）。
【００６５】
次に、ＣＰＵは、ステップＳ５５で算出した［ｈ］がステップＳ５８で取得した［ｉ］以上であったか否かを判定し（ステップＳ７３）、前記の［ｈ］が［ｉ］以上であった場合には（ステップＳ７３でＹｅｓ）、コンテンツＩＤ［γ］、時間帯［β］について移動対象の表示領域分割比［ｌ］を、［ｌ］＝［ｋ］×（［ｉ］／［ｊ］）の式により算出する（ステップＳ７４）。そして、ＣＰＵは、差分注視度テーブル３５０からコンテンツＩＤ［γ］、時間帯［β］のレコードを削除する（ステップＳ７５）。
【００６６】
また、前記の［ｈ］が［ｉ］より小さかった場合には（ステップＳ７３でＮｏ）、ＣＰＵは、［ｉ］＝［ｉ］−［ｈ］を計算して（ステップＳ７６）、［ｉ］を更新し、さらに、その更新された［ｉ］を用いて、差分注視度テーブル３５０のコンテンツＩＤ［γ］、時間帯［β］に対する実績注視度［ｉ］を更新する（ステップＳ７７）。続いて、ＣＰＵは、コンテンツＩＤ［γ］、時間帯［β］について移動対象の表示領域分割比［ｌ］を、［ｌ］＝［ｋ］×（［ｈ］／［ｊ］）の式により算出する（ステップＳ７８）。
【００６７】
ステップＳ７５またはステップＳ７８に続いて、ＣＰＵは、適正化表示スケジュールテーブル３６０からコンテンツＩＤ［α］、時間帯［β］における表示領域分割比［ｍ］を取得し（ステップＳ７９）、［ｍ］＝［ｍ］＋［ｌ］を計算し（ステップＳ８０）、適正化表示スケジュールテーブル３６０のコンテンツＩＤ［α］、時間帯［β］におけるデータとして［ｍ］を登録する（ステップＳ８１）。
【００６８】
続いて、ＣＰＵは、適正化表示スケジュールテーブル３６０からコンテンツＩＤ［γ］、時間帯［β］における表示領域分割比［ｎ］を取得し（ステップＳ８２）、［ｎ］＝ ［ｎ］−［ｌ］を計算し（ステップＳ８３）、適正化表示スケジュールテーブル３６０のコンテンツＩＤ［γ］、時間帯［β］におけるデータとして［ｎ］を登録する（ステップＳ８４）。
【００６９】
以上の表示領域分割比の移し替え処理により、時間帯［β］における余剰の実績注視度を有するコンテンツ“γ”の表示領域分割比の一部または全部が、実績注視度が不足しているコンテンツ“α”の表示領域分割比に移し替えられたことになる。
【００７０】
以上、本発明の第１の実施形態によれば、あるコンテンツ表示スケジュールテーブル３２０が与えられ、その内容で指定される複数の広告コンテンツがコンテンツ表示装置４に表示されたとき、実績注視度が目標注視度よりも大きい広告コンテンツの表示時間または表示面積が減ぜられ、実績注視度が目標注視度よりも小さい広告コンテンツの表示時間または表示面積が増加させられる適正化表示スケジュールテーブル３６０が生成される。
【００７１】
この適正化表示スケジュールテーブル３６０は、翌日以降のコンテンツ表示スケジュールテーブル３２０として利用することができる。その場合には、いずれの広告コンテンツについての実績注視度も、当初の目標注視度と同程度になることが期待される。これは、システム管理者や広告主のそれぞれの広告コンテンツに対する広告の意図に沿うものであり、その意味で広告の効果が向上する。
【００７２】
＜第２の実施形態＞
本発明の第２の実施形態では、コンテンツ表示制御装置１は、実績注視度が大きい広告コンテンツは、その実績注視度に応じて大きく表示し、実績注視度が小さい広告コンテンツは、その実績注視度に応じて小さく表示するような適正化表示スケジュールテーブル３６０を生成する。
【００７３】
まず、図１２〜図１５を参照して、適正化表示スケジュールテーブル３６０を含め、第２の実施形態で用いられる各種テーブルの例について説明する。ここで、図１２は、第２の実施形態に係るコンテンツ表示スケジュールテーブル３２０の構成の例を示した図、図１３は、第２の実施形態に係る目標注視度テーブル３３０の構成の例を示した図、図１４は、第２の実施形態に係る実績注視度テーブル３４０の構成の例を示した図、図１５は、第２の実施形態に係る適正化表示スケジュールテーブル３６０の構成の例を示した図である。
【００７４】
図１２の例によれば、４つの広告コンテンツ“Ａ”〜“Ｄ”は、それぞれ、コンテンツ表示装置４の表示画面の、表示領域分割比が同じになるように４分割された各領域に表示される。従って、いずれの広告コンテンツについても、各時間帯における表示面積は同じであるから、それぞれの目標注視度は、図１３に示すように、いずれも同じとなる。そして、図１２の例のコンテンツ表示スケジュールテーブル３２０に従って、広告コンテンツ“Ａ”〜“Ｄ”がコンテンツ表示制御装置１に表示されたとき、図１４の例に示すような実績注視度が得られたとする。
【００７５】
この場合、その表示スケジュール適正化部２５は、それぞれの広告コンテンツについて１日の注視度の合計、つまり、図１４でいうコンテンツＩＤ別小計を求め、それぞれの広告コンテンツの各時間帯における表示領域分割比を、前記コンテンツＩＤ別小計に比例するように定める（実質的には、同じ値にする）。ちなみに、図１４の例では、広告コンテンツ“Ａ”〜“Ｄ”の実績注視度は、２５％，３５％，２０％，２０％であるから、それに合わせて、広告コンテンツ“Ａ”〜“Ｄ”の表示領域分割比が２５％，３５％，２０％，２０％に定められることになる。
【００７６】
第２の実施形態におけるコンテンツ表示制御装置１の構成は、基本的には、第１の実施形態におけるコンテンツ表示制御装置１と同じであるが、表示スケジュール適正化部２５における表示スケジュール適正化処理の内容は、当然ながら相違する。また、表示スケジュール適正化処理の相違に関連して、一部省略可能なものもある。ちなみに、第２の実施形態では、差分注視度の算出は必要でないので、第２の実施形態に係るコンテンツ表示制御装置１は、図１のコンテンツ表示制御装置１から差分注視度算出部２４および差分注視度記憶部３５を省略したものであってもよい。
【００７７】
続いて、表示スケジュール適正化部２５による表示スケジュール適正化処理について説明する。図１６は、第２の実施形態に係る表示スケジュール適正化処理の処理フローの例を示した図である。なお、表示スケジュール適正化処理の前には、目標注視度設定部２３による目標注視度設定処理を行う必要があるが、その目標注視度設定処理は、第１の実施形態の場合（図７参照）と同じであるから、その説明を省略する。
【００７８】
図１６に示すように、表示スケジュール適正化処理では、ＣＰＵは、まず、コンテンツ表示スケジュールテーブル３２０の各欄のデータを全件読み出し、適正化表示スケジュールテーブル３６０の対応する欄にコピーする（ステップＳ９１）。この処理は、適正化表示スケジュールテーブル３６０を初期化する処理である。
【００７９】
次に、ＣＰＵは、コンテンツ表示スケジュールテーブル３２０に含まれるコンテンツＩＤ［α］での繰り返しを開始して（ステップＳ９２）、目標注視度テーブル３３０からコンテンツＩＤ［α］のコンテンツＩＤ別小計［ｄ］を取得し（ステップＳ９３）、実績注視度テーブル３４０からコンテンツＩＤ［α］のコンテンツＩＤ別小計［ｅ］を取得する（ステップＳ９４）。
【００８０】
次に、ＣＰＵは、［ｄ］（目標注視度のコンテンツＩＤ別小計）が［ｅ］（実質注視度のコンテンツＩＤ別小計）と異なっているか否かを判定する（ステップＳ９５）。その判定の結果、［ｄ］が［ｅ］と異なっていた場合には（ステップＳ９５でＹｅｓ）、ＣＰＵは、時間帯［β］での繰り返しを開始して（ステップＳ９６）、適正化表示スケジュールテーブル３６０のコンテンツＩＤ［α］、時間帯［β］におけるデータとして、［ｅ］を登録した（ステップＳ９７）後、時間帯［ベータ］での繰り返し終了の判定を行う（ステップＳ９８）。
【００８１】
次に、ＣＰＵは、ステップＳ９８で、時間帯［ベータ］での繰り返し終了の判定で繰り返しが終了した場合、あるいは、ステップＳ９５の判定で、［ｄ］が［ｅ］と同じであった場合には（ステップＳ９５でＮｏ）、コンテンツＩＤ［α］での繰り返し終了の判定を行い（ステップＳ９９）、その後、表示スケジュール適正化処理を終了する。
【００８２】
以上、本発明の第２の実施形態によれば、表示スケジュール適正化処理により適正化された適正化表示スケジュールテーブル３６０を、翌日以降のコンテンツ表示スケジュールテーブル３２０として利用した場合には、実績注視度が大きい広告コンテンツは、その実績注視度に応じて大きく表示され、実績注視度が小さい広告コンテンツは、その実績注視度に応じて小さく表示さるようになる。従って、人気のある広告コンテンツは、より大きく表示されることになるので、全体としての広告コンテンツの注視者数の増加を期待することができ、広告の効果が向上する。
【００８３】
＜第３の実施形態＞
本発明の第３の実施形態では、コンテンツ表示制御装置１は、コンテンツ表示装置４に表示されるそれぞれの広告コンテンツの実績注視度を取得し、実績注視度が大きかった広告コンテンツの表示領域と、実績注視度が小さかった広告コンテンツの表示領域とを互いに入れ替えるようにして、適正化表示スケジュールテーブル３６０を生成する。すなわち、第３の実施形態では、実績注視度は、表示領域の位置に依存するものと仮定し、実績注視度が平準化されるように、その実績注視度に応じて広告コンテンツの表示領域の位置を変更する。
【００８４】
まず、第３の実施形態で用いられる各種テーブルの例について説明する。ここで、図１７は、第３の実施形態に係るコンテンツ表示スケジュールテーブル３２０の構成の例を示した図、図１８は、第３の実施形態に係る実績注視度テーブル３４０の構成の例を示した図、図１９は、第３の実施形態に係る適正化表示スケジュールテーブル３６０の構成の例を示した図である。なお、第３の実施形態では、目標注視度テーブル３３０は、用いられない。
【００８５】
第３の実施形態では、図１７に示すように、コンテンツ表示スケジュールテーブル３２０の各欄には、それぞれの広告コンテンツの表示領域分割比ではなく、それぞれの広告コンテンツの表示領域の位置が格納されている。図１７のコンテンツ表示スケジュールテーブル３２０の例によれば、広告コンテンツ“Ａ”〜“Ｄ”は、各時間帯において、それぞれ領域＜１＞〜＜４＞に表示される。そして、そのコンテンツ表示スケジュールテーブル３２０に従って、広告コンテンツ“Ａ”〜“Ｄ”がコンテンツ表示制御装置１に表示されたとき、図１８の実績注視度テーブル３４０の例に示された実績注視度が得られたものとする。
【００８６】
本実施形態の場合、表示スケジュール適正化処理では、各時間帯について、広告コンテンツＩＤを実績注視度の降順にソートし、そのとき対応付けられている広告コンテンツと表示領域の対応関係を、前記降順とは逆の順序に入れ替える形で反転させる。例えば、図１８の１９時台の実績注視度の降順にコンテンツＩＤをソートすると、“Ｂ”，“Ｄ”，“Ａ”，“Ｃ”の順となる。このとき、広告コンテンツ“Ｂ”，“Ｄ”，“Ａ”，“Ｃ”は、それぞれ、領域＜２＞，＜４＞，＜１＞，＜３＞に表示されている。そこで、表示スケジュール適正化処理では、広告コンテンツ“Ｂ”，“Ｄ”，Ａ”，“Ｃ”の表示領域が、領域＜３＞，＜１＞，＜４＞，＜２＞になるように入れ替える。その結果は、図１９に反映されている通りである。
【００８７】
なお、本実施形態では、各領域の大きさは、あらかじめ定められた大きさに固定されたものとする。その場合、各領域の大きさは、すべて同じであってもよく、互いに異なっていてもよい。
【００８８】
第３の実施形態におけるコンテンツ表示制御装置１の構成は、基本的には、第３の実施形態におけるコンテンツ表示制御装置１と同じであるが、表示スケジュール適正化部２５における表示スケジュール適正化処理の内容は、当然ながら相違する。また、第３の実施形態では、目標抽出度の設定処理および差分注視度の算出処理は必要でないので、第３の実施形態に係るコンテンツ表示制御装置１は、図１のコンテンツ表示制御装置１から、目標注視度設定部２３、差分注視度算出部２４、目標注視度記憶部３３および差分注視度記憶部３５を省略したものであってもよい。
【００８９】
続いて、図２０〜図２３を参照して、第３の実施形態における表示スケジュール適正化部２５による表示スケジュール適正化処理について説明する。ここで、図２０は、第３の実施形態に係る表示スケジュール適正化処理の処理フロー（前半部）の例を示した図、図２１は、第３の実施形態に係る表示スケジュール適正化処理の処理フロー（後半部）の例を示した図、図２２は、第３の実施形態に係る表示スケジュール適正化処理で用いられる注視度順位テーブルおよび実績注視度作業テーブルの構成の例を示した図である。
【００９０】
図２０に示すように、表示スケジュール適正化処理では、ＣＰＵは、まず、コンテンツ表示スケジュールテーブル３２０の各欄のデータを全件読み出し、適正化表示スケジュールテーブル３６０の対応する欄にコピーする（ステップＳ１０１）。この処理は、適正化表示スケジュールテーブル３６０を初期化する処理である。
【００９１】
次に、ＣＰＵは、コンテンツ表示スケジュールテーブル３２０に含まれる時間帯［β］での繰り返しを開始し（ステップＳ１０２）、さらに、コンテンツＩＤ［α］での繰り返しを開始する（ステップＳ１０３）。そして、ＣＰＵは、実績注視度テーブル３４０から時間帯［β］のコンテンツＩＤ［α］、実績注視度［ｇ］を取得し（ステップＳ１０４）、そのときの時間帯［β］、コンテンツＩＤ［α］、および、実績注視度［ｇ］を実績注視度作業テーブル３８１に格納し（ステップＳ１０５）、コンテンツＩＤ［α］での繰り返し終了の判定を行う（ステップＳ１０６）。
【００９２】
ここで、実績注視度作業テーブル３８１は、一時的に記憶部３０に記憶される作業テーブルであるが、図２２（ｂ）に示すように、各レコードは、時間帯、コンテンツＩＤおよび実績注視度の項目を有する。従って、コンテンツＩＤ［α］での繰り返し処理（ステップＳ１０２〜Ｓ１０６）により、コンテンツＩＤ［α］の数のレコードが作成される。
【００９３】
次に、ＣＰＵは、実績注視度作業テーブル３８１のデータを実績注視度［ｇ］の降順にソートし（ステップＳ１０７）、そのソートした実績注視度作業テーブル３８１のデータを注視度順位テーブル３８０に登録し（ステップＳ１０８）、時間帯［β］での繰り返しの終了判定を行う（ステップＳ１０９）。
【００９４】
ここで、注視度順位テーブル３８０は、図２２（ａ）に示すように、実績注視度作業テーブル３８１のデータが実績注視度の降順にソートされ、順位の項目が付加されただけのテーブルである。ただし、注視度順位テーブル３８０は、それぞれ時間帯［β］ごとに作成される。
【００９５】
続いて、図２１に示すように、ＣＰＵは、時間帯［β］での繰り返しを開始し（ステップＳ１１０）、上位側の順位を表すパラメータ［ｐ］に、１を設定し（すなわち、［ｐ］＝１：ステップＳ１１１）、下位側の順位を表すパラメータ［ｑ］に、［ｒ］を設定する（すなわち、［ｑ］＝［ｒ］：ステップＳ１１２）。ここで、［ｒ］は、コンテンツＩＤ［α］の数であり、ここでの例では、［ｒ］＝４である。
【００９６】
次に、ＣＰＵは、注視度順位テーブル３８０から、時間帯［β］、順位［ｐ］に対するコンテンツＩＤ［γ］、実績注視度［ｕ］を取得し（ステップＳ１１３）、さらに、注視度順位テーブル３８０から、時間帯［β］、順位［ｑ］に対するコンテンツＩＤ［δ］、実績注視度［ｖ］を取得し（ステップＳ１１４）、実績注視度［ｕ］が実績注視度［ｖ］より大きいか否かを判定する（ステップＳ１１５）。
【００９７】
その判定の結果、実績注視度［ｕ］が実績注視度［ｖ］より大きかった場合には（ステップＳ１１５でＹｅｓ）、ＣＰＵは、適正化表示スケジュールテーブル３６０から、時間帯［β］、コンテンツＩＤ［γ］における領域ＩＤ［ｘ］を取得し（ステップＳ１１６）、さらに、適正化表示スケジュールテーブル３６０から、時間帯［β］、コンテンツＩＤ［δ］における領域ＩＤ［ｙ］を取得する（ステップＳ１１７）。
【００９８】
次に、ＣＰＵは、適正化表示スケジュールテーブル３６０における時間帯［β］、コンテンツＩＤ［γ］に対する領域ＩＤのデータとして［ｙ］を登録し（ステップＳ１１８）、さらに、適正化表示スケジュールテーブル３６０における時間帯［β］、コンテンツＩＤ［δ］に対する領域ＩＤのデータとして［ｘ］を登録する（ステップＳ１１９）。すなわち、ここでは、実績注視度が上位側の広告コンテンツの表示領域と、実績注視度が下位側の広告コンテンツの表示領域と、を互いに入れ替える処理をしている。
【００９９】
次に、ＣＰＵは、パラメータ［ｐ］から１を加算し（すなわち、［ｐ］＝［ｐ］＋１：ステップＳ１２０）、パラメータ［ｑ］に１を減じ（すなわち、［ｑ］＝［ｑ］−１：ステップＳ１２１）、さらに、パラメータ［ｐ］がパラメータ［ｑ］より大きいか否かを判定する（ステップＳ１２２）。
【０１００】
その判定の結果、パラメータ［ｐ］がパラメータ［ｑ］より大きくなかった場合には（ステップＳ１２２でＮｏ）、ＣＰＵは、その処理をステップＳ１１３に戻し、ステップＳ１１３以下の処理を、再度実行する。また、パラメータ［ｐ］がパラメータ［ｑ］より大きかった場合（ステップＳ１２２でＹｅｓ）、または、ステップＳ１１５の判定で、実績注視度［ｕ］が実績注視度［ｖ］より大きくなかった場合（ステップＳ１１５でＮｏ）には、ＣＰＵは、時間帯［β］での繰り返しの終了判定を行い（ステップＳ１２３）、その後、表示スケジュール適正化処理を終了する。
【０１０１】
以上、本発明の第３の実施形態によれば、表示スケジュール適正化処理により適正化された適正化表示スケジュールテーブル３６０を、翌日以降のコンテンツ表示スケジュールテーブル３２０として利用した場合には、実績注視度が小さかった表示領域に表示された広告コンテンツは、実績注視度が大きかった広告コンテンツが表示された表示領域に表示され、逆に、実績注視度が大きかった表示領域に表示された広告コンテンツは、実績注視度が小さかった広告コンテンツが表示された表示領域に表示されるので、それぞれの広告コンテンツの実績注視度は、平準化されることになる。従って、全体としての広告コンテンツの実績注視度（注視者数）の増加を期待することができ、広告の効果が向上する。
【０１０２】
＜実施形態の変形例＞
本発明は、以上に説明した第１〜第３の実施形態を様々に変形することができる。
第１〜第３の実施形態では、コンテンツ制御装置１は、広告コンテンツの注視度に応じて、広告コンテンツの表示領域の大きさや位置を変える制御を行っているが、その制御方法に代えて、広告コンテンツの注視度に応じて、例えば、広告コンテンツの表示領域の明るさや、色調、コントラストなどを変えるような制御を行ってもよい。また、コンテンツ制御装置１は、注視度がきわめて小さい広告コンテンツの表示を停止するなどの制御を行ってもよい。
【０１０３】
また、以上に説明した第１〜第３の実施形態では、コンテンツ表示装置４は、１つの地点に設置された一体型の表示装置であることが暗黙裡に想定されているが、その想定に限定される必要はない。コンテンツ表示装置４が複数の表示装置で構成され、しかも、その複数の表示装置がそれぞれ異なる地点に設けられたものであってもよい。その場合には、それぞれの地点に設けられた１つの表示装置が、第１〜第３の実施形態でいう１つの表示領域に相当する。
【符号の説明】
【０１０４】
１      コンテンツ表示制御装置
４      コンテンツ表示装置
５      リモート監視装置
６      通信ネットワーク
１１    カメラインタフェース部
１２    表示装置インタフェース部
１３    ネットワークインタフェース部
２０    処理部
２１    注視者検知部（注視者検知手段）
２２    注視度算出部（注視度算出手段）
２３    目標注視度設定部
２４    差分注視度算出部
２５    表示スケジュール適正化部（表示スケジュール適正化手段）
２６    表示制御部（表示制御手段）
２７    注視情報提供部（注視者情報提供手段）
２８    コンテンツ受信部
３０    記憶部
３１    注視者情報記憶部
３２    コンテンツ表示スケジュール記憶部（コンテンツ表示スケジュール記憶手段）
３３    目標注視度記憶部
３４    実績注視度記憶部
３５    差分注視度記憶部
３６    適正化表示スケジュール記憶部
３７    コンテンツ記憶部
４１    カメラ
５１    表示装置
７０    注視者
７１    通行人
１００  コンテンツ表示システム
３２０  コンテンツ表示スケジュールテーブル
３３０  目標注視度テーブル
３４０  実績注視度テーブル
３５０  差分注視度テーブル
３６０  適正化表示スケジュールテーブル
３８０  注視度順位テーブル
３８１  実績注視度作業テーブル
【図１】
0005325181.tif 000002
【図２】
0005325181.tif 000003
【図３】
0005325181.tif 000004
【図４】
0005325181.tif 000005
【図５】
0005325181.tif 000006
【図６】
0005325181.tif 000007
【図７】
0005325181.tif 000008
【図８】
0005325181.tif 000009
【図９】
0005325181.tif 000010
【図１０】
0005325181.tif 000011
【図１１】
0005325181.tif 000012
【図１２】
0005325181.tif 000013
【図１３】
0005325181.tif 000014
【図１４】
0005325181.tif 000015
【図１５】
0005325181.tif 000016
【図１６】
0005325181.tif 000017
【図１７】
0005325181.tif 000018
【図１８】
0005325181.tif 000019
【図１９】
0005325181.tif 000020
【図２０】
0005325181.tif 000021
【図２１】
0005325181.tif 000022
【図２２】
0005325181.tif 000023